(57)【特許請求の範囲】
【請求項１】
患者への看護に関する看護情報を入力する際に使用される複数の入力欄に対応する項目名を示す項目情報および前記患者の状況を示す区分情報を関連付けて予め記憶する記憶部と、
前記区分情報を選択する区分情報選択部と、
前記区分情報選択部にて選択された区分情報に関連付けて前記記憶部に記憶されている項目情報を取得し、この項目情報の数に応じた入力欄を形成した入力画面を生成する画面生成部と、
前記画面生成部にて生成された入力画面にて入力欄への入力が行われた場合に、前記区分情報および前記入力欄毎に入力が行われた件数を集計する集計部と、
前記画面生成部にて生成された入力画面にて入力欄への入力が行われた場合に、入力が行われていない入力欄の有無を判定するとともに、入力が行われていない入力欄が存在すると判断した場合に、入力が行われていない入力欄を特定する入力判定部と、
前記入力判定部にて特定された入力欄について、同一の区分情報における前記区分情報が選択された回数に対する前記集計部にて集計した件数の割合が所定の割合以上であるか否かを判定する判定部と、
前記集計部にて集計した件数の割合が所定の割合以上であると前記判定部にて判断した場合に、前記入力判定部にて特定された入力欄への看護情報の入力を促す制御部と、
を備えることを特徴とする看護支援システム。
【発明の詳細な説明】
【技術分野】
【０００１】
本発明は、病院などの医療機関において、医師や看護師などの医療従事者が看護の記録を行うための看護支援システムに関する。
【背景技術】
【０００２】
従来、病院に入院している患者に対して診察や看護を行う医療従事者の業務効率を向上させるために、医療従事者の支援を行う看護支援システムが知られている。看護支援システムとしては、医療従事者の居る部屋（例えば、スタッフルームなど）に設置されたパソコン（Ｐｅｒｓｏｎａｌ  Ｃｏｍｐｕｔｅｒ）や医療従事者によって携行されるＰＤＡ（Ｐｅｒｓｏｎａｌ  Ｄｉｇｉｔａｌ  Ａｓｓｉｓｔａｎｔｓ）などの端末装置を電子カルテシステムのサーバにアクセス可能とし、患者に対して実施される看護の看護計画や患者に対して実施された看護の結果などを示す看護情報などの各種情報を端末装置によって取得したり、前述した各種情報を端末装置によって記録したりするものがある。例えば、看護情報を記録する場合、医療従事者は、端末装置に表示された入力画面の複数の入力欄に看護情報の各項目を入力する。
【０００３】
ところで、医療従事者が端末装置に表示された入力欄に看護情報を入力する際に、一部の入力欄に看護情報を入力しないことがあった。これは、医療従事者が入力を単に忘れてしまったり、その入力欄について入力が不要であると思い込んで入力を行わなかったりしたからである。しかしながら、入力が行われなかった入力欄に入力されるべき看護情報が入力されていないと、その看護情報を参照することができなくなるので、看護情報を参照しようとした医療従事者などは、患者の看護情報を正確に把握することができなくなってしまうという問題があった。
【０００４】
このような問題を解決するために、医療従事者が登録操作を行った際に各入力欄の入力チェックを行う技術が知られている（例えば、特許文献１など）。特許文献１に記載のナースコールシステムでは、呼び出しを行った患者の患者情報、その患者が呼び出しを行った日時を示す呼出日時情報およびその患者が呼び出しを行った理由を示す理由情報を医療従事者が登録する際に、患者情報、呼出日時情報および理由情報が入力欄に入力されているか否かを判定する。そして、患者情報、呼出日時情報および理由情報が入力欄に入力されていない場合に、登録処理を中止して医療従事者に対して入力を促すようにしている。
【０００５】
このような、特許文献１に記載の技術を前述の従来技術に適用すると、入力画面の複数の入力欄に看護情報を入力する際に、看護情報が全ての入力欄に入力されているか否かを判定し、看護情報が入力されていない入力欄が存在する場合に、その入力欄への看護情報の入力を促すようにすることができる。これにより、医療従事者が入力欄に看護情報を入力する際に、一部の入力欄に看護情報を入力しなくなることを防ぐことができる。
【０００６】
しかしながら、この従来技術では、入力を必要としない入力欄についても入力の判定が行われてしまうので、入力を促されても看護情報を入力できない場合には、医療従事者が入力の作業を完了することができなくなってしまうという問題があった。
【０００７】
このような問題を解決するために、必須入力項目のみに対して入力の判定を行う技術が知られている（例えば、特許文献２など）。特許文献２に記載のデータ入力装置では、必須入力項目とそれ以外の入力項目とを設定し、必須入力項目に入力が行われなかった場合にオペレーターに対してデータ入力を促すようにしている。これにより、必須入力項目以外の項目に対して入力が行われなくても、オペレーターは入力の作業を完了することができる。
【０００８】
このような、特許文献２に記載の技術を前述の従来技術に適用すると、医療従事者が入力する入力欄のうち、入力を必要とする入力欄を端末装置に予め登録しておくことで、入力を必要とする入力欄のみに入力判定を行わせることができる。従って、入力を必要としない入力欄に看護情報が入力されていなくても、医療従事者は入力の作業を完了することができる。
【０００９】
しかしながら、入力を必要とする入力欄は疾病毎に異なることが多いため、疾病毎に入力を必要とする入力欄を予め登録するのに多大な工数がかかってしまうという問題があった。また、入力欄に入力される看護情報の中には、入力を必要とする項目ではないものの、入力すべき項目が存在するが、その項目については、医療従事者によって入力が行われたり行われなかったりするので、看護情報の記録レベルにばらつきが生じてしまうという問題があった。
【先行技術文献】
【特許文献】
【００１０】
【特許文献１】特開２００９−２６８４８５号公報
【特許文献２】特開平８−６９３６５号公報
【発明の概要】
【発明が解決しようとする課題】
【００１１】
本発明は、このような問題を解決するために成されたものであり、看護に関する看護情報のうち、医療従事者が入力すべき看護情報を、その看護情報が入力すべき看護情報であることを予め登録することなく、どの医療従事者に対しても入力を促すことができるようにすることを目的とする。
【課題を解決するための手段】
【００１２】
上述した課題を解決するために、本発明の看護支援システムでは、患者への看護に関する看護情報を入力する際に使用される複数の入力欄に対応する項目名を示す項目情報を患者の状況を示す区分情報に応じて記憶しておき、区分情報が選択されると、それに応じた項目情報を取得して入力欄として表示し、表示された入力欄に入力が行われると、入力が行われた入力欄を集計して、区分情報の選択に対する入力が行われた入力欄の割合が所定の割合以上となった入力欄については、次に区分情報が選択された場合に、その項目の入力欄に入力が行われなかったときに、入力を促すようにしている。
【発明の効果】
【００１３】
上記のように構成した本発明によれば、区分情報の選択に対する入力が行われた入力欄の割合が所定の割合以上となった入力欄について入力が行われなかった場合に、入力が促される。これにより、入力を必要としない入力欄であっても、その入力欄に看護情報を入力すべきであることが、医療従事者の入力傾向により判断される。従って、医療従事者が入力すべき看護情報を、その看護情報が入力すべき看護情報であることを予め登録することなく、どの医療従事者に対しても入力を促すことができる。
【図面の簡単な説明】
【００１４】
【図１】本実施形態による看護支援システムの構成例を示すブロック図である。
【図２】本実施形態による看護支援システムの記憶部の記憶内容例を示す図である。
【図３】本実施形態による看護支援システムの入力画面の例を示す図である。
【発明を実施するための形態】
【００１５】
以下、本発明の一実施形態を図面に基づいて説明する。本実施形態による看護支援システムの構成例を示すブロック図を図１に示す。同図に示すように、本実施形態による看護支援システム１は、制御部２、記憶部３、表示部４を備えて構成されている。
【００１６】
図１において、本実施形態の看護支援システム１は、パソコンやＰＤＡなどにより実現される。なお、本実施形態の看護支援システム１は、パソコンやＰＤＡ単体で構成されるようにしても良いし、パソコンやＰＤＡなどの端末装置とそれらを接続するサーバとにより構成されるようにしても良い。
【００１７】
制御部２は、ＣＰＵ（Ｃｅｎｔｒａｌ  Ｐｒｏｃｅｓｓｉｎｇ  Ｕｎｉｔ）などにより構成されており、看護支援システム１の各構成要素を後述するように制御する。また、制御部２は、区分情報選択部２１、画面生成部２２、集計部２３、入力判定部２４、判定部２５を備えて構成されている。
【００１８】
記憶部３は、メモリなどの記憶装置により構成されている。また、記憶部３は、患者への看護に関する看護情報を入力するために使用される複数の入力欄に対応する項目名を示す項目情報およびその患者の状況を示す区分情報を関連付けて予め記憶している。例えば、記憶部３は、図２（ａ）に示すように、区分情報である「入院」に対して、項目情報として「患者基本情報」、「問診」、「徘徊」を関連付けて予め記憶している。また、区分情報「転棟」に対して、項目情報として「転棟サマリ」、「看護計画」を関連付けて予め記憶している。また、記憶部３は、後述する区分情報選択部２１にて選択された区分情報、看護情報を入力した際に使用された入力欄に対応する項目名を示す項目情報およびその入力欄に入力された看護情報を関連付けて記憶する。例えば、記憶部３は、図２（ｂ）に示すように、区分情報である「入院」に対して、項目情報として「患者基本情報」、看護情報として「山田一郎」を関連付けて記憶する。また、記憶部３は、区分情報およびその区分情報が後述する区分情報選択部２１にて選択された回数を示す回数情報を関連付けて記憶する。ここで、入力欄は、看護情報を入力するためのものであり、入力欄に対応する項目名に該当する看護情報が入力される。また、項目名は、選択された区分情報によって決まる。
【００１９】
表示部４は、タッチパネル式のディスプレイなどにより構成されており、後述する画面生成部２２にて生成された入力画面や看護情報の入力を促すメッセージなどを表示するものである。また、表示部４は、画面上で行われた操作を受け付ける入力部の機能を兼ねており、操作を受け付けた場合にその操作に該当する信号を制御部２へ出力する。制御部２は、表示部４から出力された信号を入力すると、その信号に対応する処理を実行する。ここで、入力画面には、後述する区分情報選択部２１にて選択された区分情報に応じて入力欄が空欄の状態で表示される。
【００２０】
区分情報選択部２１は、記憶部３に予め記憶しておいた区分情報を選択するためのものである。画面生成部２２は、区分情報選択部２１にて選択された区分情報に関連付けて記憶部３に記憶されている項目情報を取得し、取得した項目情報の数に応じた入力欄を形成した入力画面を生成する。画面生成部２２が入力画面を生成すると、制御部２は、画面生成部２２にて生成した入力画面を表示部４に表示させる。
【００２１】
例えば、図２（ａ）に示すように、医療従事者が区分情報選択部２１にて記憶部３に記憶されている区分情報のうち「入院」を選択すると、画面生成部２２は、記憶部３を参照し、区分情報選択部２１にて選択された「入院」の区分情報に関連付けて記憶されている「患者基本情報」、「問診」、「徘徊」の項目情報を取得して、取得した「患者基本情報」、「問診」、「徘徊」の項目情報に該当する入力欄を形成した入力画面を生成する。
【００２２】
それに併せて、制御部２は、区分情報が選択された回数を同一の区分情報毎にカウントする。具体的には、制御部２は記憶部を参照し、選択された区分情報に関連付けて記憶されている回数情報が記憶部３に存在しているか否かを判定する。回数情報が記憶部３に存在していないと制御部２にて判断した場合に、制御部２は初期値である１として回数情報を生成し、選択された区分情報および生成した回数情報を関連付けて記憶部３に記憶させる。一方、回数情報が記憶部３に存在していると制御部２にて判断した場合に、制御部２は回数情報を記憶部３から取得して、取得した回数情報の値に１を加えて記憶部３に記憶されている回数情報の値に書き換える。
【００２３】
例えば、記憶部３が「入院」の区分情報および「８」の回数情報を関連付けて記憶している場合に、区分情報選択部２１にて「入院」の区分情報が選択されると、制御部２は、選択された「入院」の区分情報に関連付けて記憶部３に記憶されている回数情報「８」を取得し、取得した回数情報の値「８」に１を加えて、記憶部３に記憶されている回数情報の値を書き換える。
【００２４】
図３は、本実施形態による看護支援システム１の入力画面の例を示す図である。ここで、この入力画面は、区分情報選択部２１にて「入院」の区分情報が選択された場合のものである。また、入力画面には、「入院」の区分情報に関連付けて記憶部３に記憶されている項目情報として「患者基本情報」、「問診」および「徘徊」が患者基本情報入力欄４１、問診入力欄４２、徘徊入力欄４３として表示される。また、入力画面には、入力画面による入力作業を終了し、各入力欄４１〜４３に入力された看護情報を記憶部３に記憶させるための保存ボタン４４が表示される。
【００２５】
医療従事者は、図３（ｂ）に示すように、入力画面の患者基本情報入力欄４１に「加藤太郎」の看護情報を入力して保存ボタン４４を押下する。すると、制御部２は、集計部２３および入力判定部２４を動作させる。
【００２６】
集計部２３は、区分情報および項目情報毎に看護情報の入力が行われた件数を集計する。入力判定部２４は、看護情報の入力が行われていない入力欄の有無を判定するとともに、看護情報の入力が行われていない入力欄が存在すると判断した場合に、看護情報の入力が行われていない入力欄（項目名）を特定する。ここで、看護情報の入力が行われていない入力欄が存在しないと入力判定部２４にて判断した場合に、制御部２は、区分情報選択部２１にて選択された区分情報、看護情報を入力した際に使用された入力欄に対応する項目名を示す項目情報およびその入力欄に入力された看護情報を関連付けて記憶部３に記憶させるとともに、表示部４に表示されていた入力画面の表示を消去する。
【００２７】
図３（ｂ）に示すように、医療従事者が患者基本情報入力欄４１に「加藤太郎」の看護情報を入力して保存ボタン４４を押下すると、集計部２３は、「入院」の区分情報に関連付けて記憶部３に記憶されている項目情報である「患者基本情報」について、看護情報が入力されている件数が８件、項目情報である「問診」について、看護情報が入力されている件数が６件、項目情報である「徘徊」について、看護情報が入力されている件数が１件であると集計する。
【００２８】
判定部２５は、入力判定部２４にて特定された入力欄について、区分情報選択部２１にて同一の区分情報が選択された回数に対する集計部２３にて集計した看護情報の入力が行われた件数の割合が所定の割合以上であるか否かを判定する。ここで、精度の高い判定結果を出力するために、同一の区分情報が選択された回数が所定の回数以上である場合に、制御部２は、判定部２５による判定処理を実行させるようにしている。本実施形態では所定の回数を８回としている。また、所定の割合とは、その入力欄が看護情報を入力すべきものなのか否かを判定するための割合であり、本実施形態では０．７としている。
【００２９】
入力判定部２４にて特定された全ての入力欄について、看護情報の入力が行われた件数の割合が所定の割合以上ではないと判定部２５にて判断した場合に、制御部２は、区分情報選択部２１にて選択された区分情報、看護情報を入力した際に使用された入力欄に対応する項目名を示す項目情報およびその入力欄に入力された看護情報を関連付けて記憶部３に記憶させるとともに、表示部４に表示されていた入力画面の表示を消去する。
【００３０】
一方、入力判定部２４にて特定された入力欄について、看護情報の入力が行われた件数の割合が所定の割合以上であると判定部２５にて判断した場合に、制御部２は、看護情報の入力を促すメッセージを表示部４に表示させる。ここで、制御部２は、入力判定部２４にて特定された入力欄の項目情報を用いて入力を促す入力欄の項目を表示部４に表示させる。
【００３１】
例えば、「入院」の区分情報が区分情報選択部２１にて選択された回数が８回である場合、所定の回数以上となるため、次に区分情報選択部２１にて「入院」の区分情報が選択されると、制御部２は判定部２５を動作させる。また、記憶部３に図２（ｂ）の内容が記憶されている場合、「入院」の区分情報に関連付けて記憶されている「患者基本情報」の項目情報に対して看護情報が入力されている件数が８件であると集計部２３にて集計されるので、その割合は「１．０」となる。また、「入院」の区分情報に関連付けて記憶されている「問診」の項目情報に対して看護情報が入力されている件数が６件であると集計部２３にて集計されるので、その割合は「０．７５」となる。また、「入院」の区分情報に関連付けて記憶されている「徘徊」の項目情報に対して看護情報が入力されている件数が１件であると集計部２３にて集計されるので、その割合は「０．１３」となる。また、図３（ｂ）に示すように、「患者基本情報」の項目情報に対して「加藤太郎」の看護情報のみが入力されているので、判定部２５は、入力判定部２４にて特定された「問診」の項目情報および「徘徊」の項目情報について判定を行う。従って、判定部２５は、「問診」の項目情報に看護情報が入力された件数の割合「０．７５」が所定の割合「０．７」以上であると判断し、「徘徊」の項目情報に看護情報が入力された件数の割合「０．１３」が所定の割合「０．７」以上ではないと判断する。そのため、制御部２は、「「問診」が未入力です。「問診」を入力してください。」という看護情報の入力を促すためのメッセージ４５を生成する。そして、図３（ｃ）に示すように、制御部２は、表示部４の入力画面にメッセージ４５を表示させる。
【００３２】
メッセージ４５が表示されている状態で医療従事者が問診入力欄４２および徘徊入力欄４３に看護情報を入力せずに保存ボタン４４を押下すると、制御部２は、区分情報選択部２１にて選択された「入院」の区分情報、「患者基本情報」の項目情報、および「加藤太郎」の看護情報を関連付けて記憶部３に記憶させ、表示部４に表示されていた入力画面の表示を消去する。
【００３３】
一方、メッセージ４５が表示されている状態で医療従事者が問診入力欄４２に「高血圧」などの看護情報を入力して保存ボタン４４を押下すると、制御部２は、「入院」の区分情報、「患者基本情報」の項目情報および「加藤太郎」の看護情報を関連付けて記憶部３に記憶させるとともに、区分情報選択部２１にて選択された「入院」の区分情報、「問診」の項目情報および「高血圧」の看護情報を関連付けて記憶部３に記憶させ、表示部４に表示されていた入力画面の表示を消去する。また、「入院」の区分情報に関連付けて記憶部３に記憶されている回数情報を８回から９回へ書き換える。
【００３４】
以上、詳しく説明したように、本実施形態の看護支援システム１では、患者への看護に関する看護情報を入力する際に使用される複数の入力欄に対応する項目名を示す項目情報を患者の状況を示す区分情報に応じて記憶部３に予め記憶しておき、区分情報選択部２１にて区分情報が選択されると、選択された区分情報に関連付けて記憶部３に記憶されている項目情報の数に応じた入力欄を形成した入力画面を画面生成部２２が生成して表示部４に表示する。表示された入力画面にて保存ボタン４４が押下されると、集計部２３は、入力画面に表示されている区分情報に関連付けて記憶されている項目情報の件数を同一の項目情報毎に集計するとともに、入力判定部２４は、看護情報の入力が行われていない入力欄を特定する。そして、入力判定部２４にて特定した入力欄について、入力が行われた件数の割合が所定の割合以上であると判定部２５にて判断した場合に、制御部２は、看護情報の入力を促すためのメッセージを表示部４に表示させるようにしている。
【００３５】
これにより、区分情報の選択に対する入力が行われた入力欄の割合が所定の割合以上となった入力欄について入力が行われなかった場合に、入力が促される。このことから、入力を必要としない入力欄であっても、その入力欄に看護情報を入力すべきであることが、医療従事者の入力傾向により判断される。従って、医療従事者が入力すべき看護情報を、その看護情報が入力すべき看護情報であることを予め登録することなく、どの医療従事者に対しても入力を促すことができる。
【００３６】
なお、前述した実施形態では、制御部２は、入力判定部２４にて特定された入力欄への看護情報の入力を促すためのメッセージなどを表示部４に表示させているが、これに限定されない。例えば、入力判定部２４にて特定された入力欄への看護情報の入力を促すための警告音や音声などを図示しないスピーカなどから制御部２が出力させるようにしても良い。
【００３７】
また、前述した実施形態では、集計部２３は、保存ボタン４４が押下された場合に区分情報および入力欄毎に入力が行われた件数を集計しているが、これに限定されない。例えば、画面生成部２２が入力画面を生成した場合に区分情報および入力欄毎に入力が行われた件数を集計部２３にて集計するようにしても良い。
【００３８】
また、前述した実施形態では、入力画面に表示される全ての入力欄に入力される看護情報は入力を必須としていないが、これに限定されない。例えば、入力画面に表示される全ての入力欄のうち、患者基本情報などの特定の項目情報に該当する入力欄に入力される看護情報の入力を必須とするようにしても良い。この場合、各入力欄に入力される看護情報が必須入力であるか否かを入力判定部２４にて判定することができるように、記憶部３は、項目情報、区分情報およびその項目情報により特定される項目に対して入力を必須とするか否かを示す必須情報を関連付けて予め記憶しておく必要がある。
【００３９】
また、前述した実施形態では、区分情報選択部２１にて同一の区分情報が選択された回数が所定の回数以上である場合に、制御部２は、判定部２５による判定処理を実行させているが、これに限定されない。例えば、区分情報選択部２１にて同一の区分情報が選択された回数に関係無く、制御部２が判定部２５による判定処理を実行させるようにしても良い。
【００４０】
その他、看護支援システム１の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４１】
１    看護支援システム
２    制御部
２１    区分情報選択部
２２    画面生成部
２３    集計部
２４    入力判定部
２５    判定部
３    記憶部
４    表示部
４１    患者基本情報入力欄
４２    問診入力欄
４３    徘徊入力欄
４４    保存ボタン
４５    メッセージ
【図１】
0005590679.tif 000002
【図２】
0005590679.tif 000003
【図３】
0005590679.tif 000004